(57)【要約】構造体（１）は、表面（３）に沿って延在するケーブル（２）を隠蔽する。構造体（１）は、観察者（４）に対してケーブル（２）を隠蔽するよう観察者（４）とケーブル（２）との間に配置される壁（１０，１１；１２，１３，１４）を有する。構造体は、観察者（４）に向かって方向付けられる壁表面を有する。観察者（４）に向かって方向付けられる壁表面の少なくとも一部は、反射特性を有する。壁（１０，１１；１２，１３，１４）は、表面（３）又は表面（３）と同様の外観を有する他の表面（３０）を観察者（４）に対して反射する形状を有し、それによってケーブルを隠蔽する構造体にケーブルが前方に配置される表面と同様の外観を与える。
2009542938.tif 000002
【特許請求の範囲】
【請求項１】
表面にわたって延在するケーブルを隠蔽する構造体であって、
使用時に観察者とケーブルとの間に配置されて前記観察者に対して前記ケーブルを隠蔽する壁を有し、
また、前記観察者に向かって方向付けられる壁表面を有し、
前記観察者に向かって方向付けられる前記壁表面の少なくとも一部は、反射特性を有し、前記壁は、前記表面又は前記表面と同様の外観を有する他の表面を前記観察者に対して反射するよう形成される、
ケーブルを隠蔽する構造体。
【請求項２】
前記壁は、細長いキャビティを形成し、前記ケーブルが前記壁と前記表面との間において配置される際に前記ケーブルに対して空間を与える、
請求項１記載のケーブルを隠蔽する構造体。
【請求項３】
前記壁は、Ｖ字形状にされる、
請求項１又は２記載のケーブルを隠蔽する構造体。
【請求項４】
Ｖ字形状に配置される２つの反射素子を有する、
請求項３記載のケーブルを隠蔽する構造体。
【請求項５】
Ｖ字形状の上部角度は、調整可能である、
請求項３又は４記載のケーブルを隠蔽する構造体。
【請求項６】
Ｖ字形状の上部角度は、４０乃至６０度において選択可能又は調整可能である、
請求項３又は４記載のケーブルを隠蔽する構造体。
【請求項７】
・  前記壁は、２つの脚部の間において上部セグメントを有するＵ字形状を有し、
・  前記脚部の外側の少なくとも一部は、反射特性を有する、
請求項１記載のケーブルを隠蔽する構造体。
【請求項８】
前記脚部の各々の内側と前記上部セグメントの内側との間の角度は、９０度と同等であるか、あるいは９０度より大きい、
請求項７記載のケーブルを隠蔽する構造体。
【請求項９】
前記観察者に対面する前記壁は、光を散乱させるよう平坦ではない表面を作るテクスチャを有する、
請求項１乃至８のうちいずれか一項記載のケーブルを隠蔽する構造体。
【請求項１０】
前記観察者に対面する前記壁は、平坦な反射表面を有する、
請求項１乃至８のうちいずれか一項記載のケーブルを隠蔽する構造体。
【請求項１１】
前記壁又は前記反射表面は、鏡によって与えられる、
請求項１乃至１０のうちいずれか一項記載のケーブルを隠蔽する構造体。
【請求項１２】
システムであって：
・  請求項１乃至１１のうちいずれか一項記載のケーブルを隠蔽する構造体と、
・  表面の前方に配置されるディスプレイ装置と、
を有し、
前記ケーブルは、前記ディスプレイ装置に対して接続され、
前記ケーブルを隠蔽する前記構造体は、前記表面の前方に配置され、それによって前記ケーブルをカバーし、且つ前記表面又は該表面と同様の外観を有する他の表面を観察者に対して反射する、
システム。
【請求項１３】
前記ケーブルは、前記ディスプレイ装置に対して電力を供給する電源ケーブルである、
請求項１２記載のシステム。
【発明の詳細な説明】
【技術分野】
【０００１】
本発明は、観察者から表面に沿って延在するケーブルを隠蔽する構造体（ｓｔｒｕｃｔｕｒｅ  ｆｏｒ  ｈｉｄｉｎｇ  ａ  ｃａｂｌｅ）、及びかかる構造体を有するシステムに係る。
【背景技術】
【０００２】
ＵＳ２００３／０１０６７０２Ａ１（特許文献１）は、スナップオンカバーを有する表面実装ワイヤリング配線管又は導管（ｓｕｒｆａｃｅ−ｍｏｕｎｔｅｄ  ｗｉｒｉｎｇ  ｒａｃｅｗａｙ  ｏｒ  ｃｏｎｄｕｉｔ）を開示する。露出された表面は、家庭や商業構造において現在使用される通常の建築上のインテリア又はエクステリアのモールディングの外観と同様である。モールディングは、ワイヤリング、ケーブル、及び他の電気、通信、ネットワーク、及び制御伝達に対して少なくとも１つの経路又は通路を与えるよう、あるいは、存在するワイヤリング導管及び配線管をカバーするよう、設計される。表面の設計は、従来の木工製品（ｃｌａｓｓｉｃａｌ  ｗｏｏｄ  ｍｉｌｌｗｏｒｋ）に非常に似ているよう選択され、モールディングがインテリアに適合して目立たないようにされる。
【特許文献１】ＵＳ２００３／０１０６７０２Ａ１
【発明の開示】
【発明が解決しようとする課題】
【０００３】
本発明は、表面に沿って延在するケーブルの隠蔽を向上させる、ことを目的とする。
【課題を解決するための手段】
【０００４】
本発明の第１の態様は、請求項１に記載されるケーブルを隠蔽する構造体を与える。本発明の第２の態様は、請求項１２に記載されるシステムを与える。有利な実施例は、従属請求項において定義付けられる。
【０００５】
本発明の第１の態様に従った表面に沿って延在するケーブルを隠蔽する構造体は、壁を有する。該壁は、使用時に、観察者とケーブルとの間に配置され、故に観察者に対してケーブルを隠蔽する。壁は、形成され、観察者に対して方向付けられる壁の側部の少なくとも一部は、表面又は該表面と同様の外観を有する表面を観察者に対して反射する反射特性を有する。例えば、表面は、ケーブルが前方に配置される部屋の壁であり得、他の表面は、部屋の他の壁であり得る。
【０００６】
故に、使用時に、構造体は、観察者からケーブルを隠すよう表面の前方に配置され、反射壁は、この表面又は同様の表面を観察者に向かって反射する。結果として、観察者は、ケーブル及び構造体の代わりに表面をみる。実際のインテリアに最適に適合する構造体の表面を選択する必要はない。通常、表面は、部屋の壁である。しかし表面は、キャビネットの表面等である、隠蔽される必要があるケーブルが延在する表面であり得る。
【０００７】
請求項２に記載される実施例において、壁は、細長いキャビティを形成する。該キャビティは、ケーブルが壁と表面との間に配置される際、ケーブルに対して空間を与える。
【０００８】
請求項３に記載される実施例において、壁はＶ字型にされ、Ｖ字形状の外側側部の少なくとも一部は、反射特性を有する。ケーブルは、Ｖ字によって形成されるキャビティの内側へと適合し得る。このＶ字形状は、観察者に対して表面を反射する側壁を与える単純な形状である。
【０００９】
請求項４に記載される実施例において、Ｖ字型構造は、２つの反射素子をＶ字形状に配置することによって得られる。かかる２つの素子は、Ｖ字形状の上部において共に接着され得るか、あるいは適切な相互接続構造によって機械的に相互接続され得る。
【００１０】
請求項５に記載される実施例において、機械的相互接続構造は、２つの素子の互いに対する角度を変えることができる。表面上の反復テクスチャ（ｒｅｐｅａｔｉｎｇ  ｔｅｘｔｕｒｅ）の場合、優れた結果は、表面に対して垂直に位置付けられる反射表面を有して達成される。このことは、意図される効果を与える観察角度が最大限である、という利点を更に有する。他方では、Ｖ字型素子のキャビティの体積は、最小限にされ、ケーブルを包含するよう充分ではないことがあり得る。Ｖ字形状の調整可能な上部角度によって、観察者は、自分の状況に対して最適な角度を選択し得る。一実施例では、角度は、可能な限り小さく選択され、表面構造の最適な複製（ｄｕｐｌｉｃａｔｉｏｎ）及び最大観察角度が得られ、ケーブルが形成されたキャビティに適合し得るには充分に大きい。この要求を満たす上部角度の実際的な範囲は、４０乃至６０度であり得る。
【００１１】
請求項６に記載される一実施例では、Ｖ字形状の上部角度は、４０乃至６０度で選択されるかあるいは調整可能である。調整可能な上部角度によって、観察者は、好みに最もあうよう表面の反射を選択することができる。このことは、観察者に対して反射され得ない反復テクスチャを表面が有する一方で同一の反復距離を維持する場合に、特に関連がある。
【００１２】
請求項７に記載される一実施例において、壁は、２つの脚部の間に上部セグメントを有するＵ字形状を有する。脚部の各々の内側と上部セグメントの内側との間の角度は、９０度と同等であるかそれより大きい。望ましくは、使用時に、上部セグメントは表面に対して平行に配置される。角度が９０度より大きい場合、脚部は、上部セグメントによってカバーされる範囲の外側に突出する。この実施例は、一方で、表面に対して垂直又は略垂直に配置される少なくとも部分的に反射性の脚部を与え、他方で充分な体積がケーブルを含有するよう存在する。問題点は、上部セグメントが観察者に対して可視となる、ことである。
【００１３】
請求項９に記載される一実施例において、観察者に対面する構造体の壁は、光を散乱させる平坦ではない表面を作るテクスチャを有する。特に表面が反復テクスチャを有する場合、光の散乱は、この反復テクスチャをぼかしてより目立たなくさせ、反射されるテクスチャが表面上のテクスチャとは異なる反復距離を有するようにする。他方では、反射された光は依然として、表面の平均的な色及び強度を有し、故に依然としてケーブル及び隠蔽構造体を適度によく隠蔽する。テクスチャ加工された反射表面は更に、より安価な構造をもたらすよう平坦性においてより低い仕様を可能にする、という利点を有する。更には、表面における対象物又は光点を妨害する効果（ｅｆｆｅｃｔ  ｏｆ  ｄｉｓｔｕｒｂｉｎｇ  ｏｂｊｅｃｔｓ  ｏｒ  ｌｉｇｈｔ  ｓｐｏｔｓ  ｏｎ  ｔｈｅ  ｓｕｒｆａｃｅ）は、低減される。
【００１４】
請求項１０に記載される一実施例において、壁の反射表面は、表面の反射される部分の歪みを最小限に抑えるよう平坦である。平坦な反射表面の更なる利点は、特定の最大観察角度において囲まれる体積を最大限にする、ことである。
【００１５】
請求項１１に記載される一実施例において、鏡は、反射表面に対して使用される。鏡の高い反射性は、表面の反射される部分と表面との間の類似性を高める。
【００１６】
第２の態様に従ったシステムは、ケーブルを隠蔽する構造体、及び表面の前方に配置されるディスプレイ装置を有する。ケーブルは、ディスプレイ装置に対して接続される。また、ケーブルを隠蔽する構造は、ケーブルが観察者から隠されるよう表面の前方に配置され、観察者に対して表面の一部を反射する。
【発明を実施するための最良の形態】
【００１７】
本発明のこれらの及び他の態様は、以下において説明される実施例を参照して明らかに説明される。
【００１８】
異なる図中において同一の参照番号を有するアイテムは、同一の構造上の特徴及び同一の機能を有するか、同一の信号である、ことが留意されるべきである。かかるアイテムの機能及び／又は構造が説明されている場合、詳細な説明においてその説明を反復する必要はない。
【００１９】
図１は、壁に掛けられたディスプレイ装置、及び壁に沿って延在するケーブルを隠蔽する構造体を示す。ディスプレイ装置８は、部屋の壁３の前方に取り付けられる。ディスプレイ装置８は、実際に壁３上に取り付けられ得るが、天井から釣り下げられても床に立たせられてもよい。ディスプレイ装置８が壁上に掛けられる場合、ディスプレイ８に対して接続されるケーブル２を隠蔽する構造体１は、ディスプレイ装置８を支持しない。ディスプレイ装置８が床に立たせられる場合、構造体１はまた、支持構造体であり得る。構造体１は、ディスプレイ装置８の底部から床まで延在するが、構造体１は、他の方向、例えばディスプレイ装置の上部から天井まで、又は横方向に、延在し得る。特にディスプレイが天井から釣り下げられる場合、構造体１はまた、取付け機能を有し得る。
【００２０】
構造体１は、ケーブル２を保持し得るキャビティ１５を作る（図２参照）。使用時において、構造体１は、ケーブル２がキャビティ１５にあるよう、また、ケーブルが部屋にいる観察者４（図２及び３参照）からは構造体１によって隠されるように壁３と構造体１との間に配置されるよう、位置付けられる。観察者の観察角度は、ディスプレイ装置８のディスプレイスクリーンのディスプレイ表面に対して垂直な線と、観察者及びディスプレイスクリーンの中心を接続する仮想線との間の角度、として定義付けられる。意図される隠蔽効果が得られる最大観察角度は、隠蔽構造体の構成に依存する。キャビティ１５は、複数のケーブルを保持するよう寸法取られ得る。ケーブル２は例えば、ディスプレイ装置８に対して電力及び／又は信号を与え得る。ケーブル２はまた、周辺機器（図示せず）をディスプレイ装置８と相互接続させ得、ディスプレイ装置８から周辺機器まで信号を与え得る。
【００２１】
構造体１の壁１０，１１は、反射特性を有するべきである。部屋の壁３と構造体１の壁１０，１１との間の混乱を避けるよう、部屋の壁３はまた、表面３として称される。構造１は、一個構成の壁を有し得る。あるいは、構造体１は、複数の壁１０，１１を有し得るか、それらによって形成され得る。図１中に示される実施例において、構造体１は、Ｖ字に配置される２つの壁１０及び１１を有する。構造体１の壁１０，１１は、Ｖ字を形成する必要はなく、表面３の一部が観察者４に向かって反射されるよう配置されるべきである。表面３の一部を反射することによって、表面３がまたケーブル２の前方に存在するという印象を観察者４が有するため、壁１０，１１の可視性は、最小限にされる。あるいは、図２に示される通り、構造体は、表面３と同様の外観を有する他の表面３０を反射し得る。通常、この他の表面３０は、ケーブルが隠蔽されるべき部屋の他の壁である。
【００２２】
図２は、構造体の一実施例の断面図である。図２は、図１中の線ＡＡによって示される通り、表面３に対して垂直な平面に沿った図１中の構造体１の断面図である。Ｖ字型の構造体１は、単一のケーブル２又は複数のケーブルを保持するための寸法を有するキャビティ１５を作る。構造体１は、２つの表面１０又は１１を有する単一の壁によって形成される。あるいは、構造体１は、２つの壁１０及び１１を有し得る。２つの壁１０，１１は、例えばＶ字の上部において共に接着することによって、剛性に相互接続され得る。２つの壁１０，１１は、他の方途において剛性に相互接続されて表面３に対して共に固定され得るか、あるいは、壁１０，１１の各々は、表面３に対して剛性に固定され得る。あるいは、２つの壁１０，１１は、互いに対してあるいは表面３に対して可動に相互接続され得る。かかる調整可能な構造によって、ユーザは、表面３に対する壁１０，１１の角度を自分の好みにあうよう調整し得る。これは、観察者に対して反射されなければならない表面３又は３０がテクスチャを有する場合に特に関連がある。調整可能な構造は、カバーされるべき特定の数のケーブルに対して最大観察角度を最大限にする可能性を与える。
【００２３】
図３は、構造体の他の実施例の断面図である。構造体１は、Ｕ字型をしているか、あるいは平坦な上方部分を有するＶ字形状を有する。Ｕ字の上部は参照符号１３で示される壁又は壁部によって形成され、Ｕ字の左側脚部は壁又は壁部１２によって形成され、右側脚部は壁又は壁部１４によって形成される。壁部１２，１３，１４は、平坦であるよう図示されるが、かかる壁は湾曲されてもよい。壁又は壁部１３は、構造体１の不可視性を低減させるが、美観上の要素を加え得る。構造体１の不可視性の過度の低減を防ぐよう、壁又は壁部１３の表面積は、制限されるべきである。Ｕ字型構造の効果は、表面１３が表面３の前方に浮いているという印象を得る、ことであり、それによって表面１３と構造体１との間に配置されるケーブルを隠蔽する。
【００２４】
図２中の構造体１に対して説明されたものと同一の方途において、構造体１は、壁部１２，１３，１４を有する単一の壁として形成され得る。あるいは、構造体１は、剛性又は可動に相互接続され得る別個の壁を有し得る。
【００２５】
上述された実施例は、本発明を制限するものではなく例証するものであり、当業者は、添付の請求項の範囲を逸脱することなく多くの代替的な実施例を設計することができる、ことが留意されるべきである。
【００２６】
例えば、観察者４に向かって表面３の一部を反射する構造体１の形状は、構造体１の可視性を低減させる。壁１０，１１；１２，１３，１４は、平坦である必要はなく、湾曲平面も使用され得る。反射は、１００％である必要はなく、より低い反射率でも隠蔽効果を有する。反射壁１０，１１；１２，１３，１４は、光を散乱させる高さ差異（ｈｅｉｇｈｔ  ｄｉｆｆｅｒｅｎｃｅｓ）を有するようテクスチャ加工され得る。特に表面３が所定の距離において反復するテクスチャを有する場合、１００％の反射は、構造体１の前方におけるこの反復テクスチャを示すが、特定の距離とは異なり得る反復距離を有する。特定の距離とは異なる反復距離のなんらかの不快な影響は、反射壁の適切な表面テクスチャ、及び／又は１００％より低い反射を選択することによって、最小限にされ得る。
【００２７】
一実施例において、観察者４から表面３に沿って延在するケーブル２を隠蔽する構造体１は、壁１０，１１；１２，１３，１４を有する。該壁は、ケーブル２に対して、壁１０，１１；１２，１３，１４と表面３との間に配置される際に空間を与える、細長いキャビティ１２を有する。壁１０，１１；１２，１３，１４の外側側部の少なくとも一部は、反射特性を有し、表面３を観察者４に対して反射するよう形成される。故に、ケーブルを隠蔽する構造の反射部は、前方にケーブルを配置される表面と同様の外観を得、ケーブル及び隠蔽構造のいずれも、観察者に対して完全にあるいは略不可視である。
【００２８】
請求項において、括弧内の参照符号は、請求項を制限するものとして解釈されるべきではない。「有する」という動詞及びその変化形は、請求項に記載される要素又は段階以外の要素又は段階の存在を除外しない。単数形の要素を示す語は、かかる要素の複数の存在を除外しない。本発明は、複数の別個の要素を有するハードウェアを用いて実行され得る。複数の手段を列挙する装置請求項において、かかる手段のうちいずれか一項記載の複数は、同一のハードウェアによって実現され得る。特定の方策が相互に異なる従属請求項において列挙されるという単なる事実は、かかる方策の組合せが有利に使用され得ないということを示すものではない。
【図面の簡単な説明】
【００２９】
【図１】壁に掛けられるディスプレイ装置、及び壁に沿って延在するケーブルを隠蔽する構造体を図示する。
【図２】構造体の一実施例の断面図である。
【図３】構造体の他の実施例の断面図である。
【図１】
2009542938.tif 000003
【図２】
2009542938.tif 000004
【図３】
2009542938.tif 000005
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
表面にわたって延在するケーブルを隠蔽する構造体であって、
使用時に観察者とケーブルとの間に配置されて前記観察者に対して前記ケーブルを隠蔽する壁を有し、
また、前記観察者に向かって方向付けられる壁表面を有し、
前記観察者に向かって方向付けられる前記壁表面の少なくとも一部は、反射特性を有し、前記壁は、前記表面又は前記表面と同様の外観を有する他の表面を前記観察者に対して反射するよう形成される、ことを特徴とする、
ケーブルを隠蔽する構造体。
【請求項２】
前記壁は、細長いキャビティを形成し、前記ケーブルが前記壁と前記表面との間において配置される際に前記ケーブルに対して空間を与える、
請求項１記載のケーブルを隠蔽する構造体。
【請求項３】
前記壁は、Ｖ字形状にされる、
請求項１又は２記載のケーブルを隠蔽する構造体。
【請求項４】
Ｖ字形状に配置される２つの反射素子を有する、
請求項３記載のケーブルを隠蔽する構造体。
【請求項５】
Ｖ字形状の上部角度は、調整可能である、
請求項３又は４記載のケーブルを隠蔽する構造体。
【請求項６】
Ｖ字形状の上部角度は、４０乃至６０度において選択可能又は調整可能である、
請求項３又は４記載のケーブルを隠蔽する構造体。
【請求項７】
・  前記壁は、２つの脚部の間において上部セグメントを有するＵ字形状を有し、
・  前記脚部の外側の少なくとも一部は、反射特性を有する、
請求項１記載のケーブルを隠蔽する構造体。
【請求項８】
前記脚部の各々の内側と前記上部セグメントの内側との間の角度は、９０度と同等であるか、あるいは９０度より大きい、
請求項７記載のケーブルを隠蔽する構造体。
【請求項９】
前記観察者に対面する前記壁は、光を散乱させるよう平坦ではない表面を作るテクスチャを有する、
請求項１乃至８のうちいずれか一項記載のケーブルを隠蔽する構造体。
【請求項１０】
前記観察者に対面する前記壁は、平坦な反射表面を有する、
請求項１乃至８のうちいずれか一項記載のケーブルを隠蔽する構造体。
【請求項１１】
前記壁又は前記反射表面は、鏡によって与えられる、
請求項１乃至１０のうちいずれか一項記載のケーブルを隠蔽する構造体。
【請求項１２】
システムであって：
・  請求項１乃至１１のうちいずれか一項記載のケーブルを隠蔽する構造体と、
・  表面の前方に配置されるディスプレイ装置と、
を有し、
前記ケーブルは、前記ディスプレイ装置に対して接続され、
前記ケーブルを隠蔽する前記構造体は、前記表面の前方に配置され、それによって前記ケーブルをカバーし、且つ前記表面又は該表面と同様の外観を有する他の表面を観察者に対して反射する、
システム。
【請求項１３】
前記ケーブルは、前記ディスプレイ装置に対して電力を供給する電源ケーブルである、
請求項１２記載のシステム。
【手続補正２】
【補正対象書類名】明細書
【補正対象項目名】０００２
【補正方法】変更
【補正の内容】
【０００２】
ＵＳ４４５４３４７４は、電気コードホルダ及びカバーを開示する。該発明は、実質的にＣ字形状の前方部分の形状における断面である管状形状の細長いプラスチック押出し成形を有し、後方部分は、Ｃ字形状部分の一端からＣ字形状部分の他端に向かって内方向に延在し、内側に延在する後方部分とＣ字形状部分の他端との間において電気ワイヤリングを挿入するよう適合されるスロットを残す。該発明は、外側表面を定義付ける所定の幅を有する固定ストリップを有する。ＵＳ２００３／０１０６７０２Ａ１（特許文献１）は、スナップオンカバーを有する表面実装ワイヤリング配線管又は導管（ｓｕｒｆａｃｅ−ｍｏｕｎｔｅｄ  ｗｉｒｉｎｇ  ｒａｃｅｗａｙ  ｏｒ  ｃｏｎｄｕｉｔ）を開示する。露出された表面は、家庭や商業構造において現在使用される通常の建築上のインテリア又はエクステリアのモールディングの外観と同様である。モールディングは、ワイヤリング、ケーブル、及び他の電気、通信、ネットワーク、及び制御伝達に対して少なくとも１つの経路又は通路を与えるよう、あるいは、存在するワイヤリング導管及び配線管をカバーするよう、設計される。表面の設計は、従来の木工製品（ｃｌａｓｓｉｃａｌ  ｗｏｏｄ  ｍｉｌｌｗｏｒｋ）に非常に似ているよう選択され、モールディングがインテリアに適合して目立たないようにされる。
【特許文献１】ＵＳ２００３／０１０６７０２Ａ１
【特許文献２】ＵＳ４４５４３４７４
【国際調査報告】
2009542938.tif 000006
2009542938.tif 000007